(57)【要約】      （修正有）【課題】紙細工の学習者に簡単に紙細工を創作する紙細工素材を提供する。【解決手段】板材用紙片組２０と、関節板材用紙片組３０と、枢設部材４０とを備える紙細工素材であって、板材用紙片組２０は厚紙により形成され、厚紙面に異なる形状や寸法を有する複数の板材用紙片２１の形状が設けられ、各板材紙片の周縁には厚紙と部分的に連接する連接箇所２２が設けられ、関節板材用紙片組は厚紙で形成され、該厚紙面に複数の矩形状の関節板材用紙片が設けられ、各関節板材用紙片３１の両端には夫々貫通孔３２が形成されると共に、周縁には厚紙と部分的に連接する連接箇所３３が設けられ、前記枢設部材は関節板材用紙片の貫通孔に枢設されるオスボタン４１とメスボタン４２からなり、紙細工の創作においては前記板材用紙片組の厚紙及び関節板材用紙片組の厚紙より夫々前記板材用紙片と関節板材用紙片を切り離し、各紙片同士を枢設部材４０によって連結できるようにした。【選択図】図８
0003107402.tif 000002
【実用新案登録請求の範囲】
【請求項１】
柱材用紙片組と、板材用紙片組とを備える紙細工素材であって、
前記柱材用紙片組は厚紙により形成され、該厚紙面に複数の柱材用紙片の形状が設けられると共に、各柱材用紙片にはそれぞれ折り線が設けられると共に、各柱材用紙片の周縁には厚紙と部分的に連接する連接箇所が設けられ、
前記板材用紙片組は厚紙により形成され、該厚紙面には異なる形状や寸法を有する複数の板材用紙片が設けられ、各板材用紙片の周縁には厚紙と部分的に連接する連接箇所が設けられ、紙細工の創作においては前記柱材用紙片組の厚紙及び前記板材用紙片組の厚紙より夫々の前記柱材用紙片及び前記板材用紙片を切り離して利用できるようにしたことを特徴とする紙細工素材。
【請求項２】
板材用紙片組と、関節板材用紙片組と、枢設部材とを備える紙細工素材であって、
前記板材用紙片組は厚紙により形成され、該厚紙面に異なる形状や寸法を有する複数の板材用紙片の形状が設けられ、各板材紙片の周縁には厚紙と部分的に連接する連接箇所が設けられ、
前記関節板材用紙片組は厚紙で形成され、該厚紙面に複数の矩形状の関節板材用紙片が設けられ、各関節板材用紙片の両端には夫々貫通孔が形成されると共に、周縁には厚紙と部分的に連接する連接箇所が設けられ、
前記枢設部材は関節板材用紙片の貫通孔に枢設されるオスボタンとメスボタンからなり、該オスボタンには外径が前記貫通孔の内径と等しい枢設ブロックが設けられ、該メスボタンにはオスボタンの枢設ブロックと嵌合するため枢設孔が形成されてなり、紙細工の創作においては前記板材用紙片組の厚紙及び関節板材用紙片組の厚紙より夫々前記板材用紙片と関節板材用紙片を切り離し、各紙片同士を枢設部材によって連結できるようにしたことを特徴とする紙細工素材。
【請求項３】
前記厚紙と紙片との部分的連接箇所は、小、中、大の間隔に形成されていることを特徴とする請求項１又は２に記載の紙細工素材。
【考案の詳細な説明】
【技術分野】
【０００１】
本考案は、特に紙細工の学習者に簡単に紙細工を創作できるようにした紙細工素材に関するものである。
【背景技術】
【０００２】
紙細工は紙が所望箇所で折れる特性を利用することにより、様々な立体物品を創作することである。物品の創作は創作者自身によって紙を折り、粘着又は嵌合するようにして物品を創作するようにしているので、創作者の豊かな想像力・創作力又は思考力を鍛練することができる。
【考案の開示】
【考案が解決しようとする課題】
【０００３】
しかし、紙細工において物品を創作する場合、学習者は自分で複数枚の大きな紙から所要の形状、寸法をカットするようになっているため、非常に不便であり、又、紙をカットする際、カッターナイフ又は鋏を使用しなければならないので、幼児や児童にとって非常に危険なことである。
【０００４】
そこで、案出されたのが本考案であって、紙細工の学習者に簡単に紙細工の創作ができるようにした紙細工素材を提供することを目的としている。
【課題を解決するための手段】
【０００５】
本願の請求項１の考案は、柱材用紙片組と、板材用紙片組とを備える紙細工素材であって、前記柱材用紙片組は厚紙により形成され、該厚紙面に複数の柱材用紙片の形状が設けられると共に、各柱材用紙片にはそれぞれ折り線が設けられると共に、各柱材用紙片の周縁には厚紙と部分的に連接する連接箇所が設けられ、前記板材用紙片組は厚紙により形成され、該厚紙面には異なる形状や寸法を有する複数の板材用紙片が設けられ、各板材用紙片の周縁には厚紙と部分的に連接する連接箇所が設けられ、紙細工の創作においては前記柱材用紙片組の厚紙及び前記板材用紙片組の厚紙より夫々の前記柱材用紙片及び前記板材用紙片を切り離して利用できるようにしたことを特徴とする。
【０００６】
請求項２の考案は、板材用紙片組と、関節板材用紙片組と、枢設部材とを備える紙細工素材であって、前記板材用紙片組は厚紙により形成され、該厚紙面に異なる形状や寸法を有する複数の板材用紙片の形状が設けられ、各板材紙片の周縁には厚紙と部分的に連接する連接箇所が設けられ、前記関節板材用紙片組は厚紙で形成され、該厚紙面に複数の矩形状の関節板材用紙片が設けられ、各関節板材用紙片の両端には夫々貫通孔が形成されると共に、周縁には厚紙と部分的に連接する連接箇所が設けられ、前記枢設部材は関節板材用紙片の貫通孔に枢設されるオスボタンとメスボタンからなり、該オスボタンには外径が前記貫通孔の内径と等しい枢設ブロックが設けられ、該メスボタンにはオスボタンの枢設ブロックと嵌合するため枢設孔が形成されてなり、紙細工の創作においては前記板材用紙片組の厚紙及び関節板材用紙片組の厚紙より夫々前記板材用紙片と関節板材用紙片を切り離し、各紙片同士を枢設部材によって連結できるようにしたことを特徴とする。
【０００７】
請求項３の考案は、請求項１又は２に記載の紙細工素材において、前記厚紙と紙片との部分的連接箇所は、小、中、大の間隔に形成されていることを特徴とする。
【考案の効果】
【０００８】
本考案は上記の課題を解決するものであり、学習者は異なる形状や寸法の柱材用紙片と板材用紙片と関節板材用紙片を厚紙から裁断用具を用いることなく、夫々簡単に切り取ることにより、カッターナイフ又は鋏を不要とし、紙細工の創作が簡単にしかも迅速にできる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
図１は本考案に係る紙細工素材の第１実施例を示す柱材用紙片組の分解斜視図であり、図２は本考案に係る紙細工素材の板材用紙片組の第１実施例を示す分解斜視図であり、図３は本考案に係る紙細工素材の第１実施例における異なった形状の板材用紙片組を示す分解斜視図であり、図４は本考案に係る紙細工素材の第１実施例におけるさらに異なった形状の板材用紙片組を示す分解斜視図であり、図５は本考案に係る紙細工素材の関節板材用紙片組を示す分解斜視図であり、図６は本考案に係る紙細工素材の関節プレートと枢設部材を示す分解斜視図であり、図７は本考案に係る紙細工素材によって机を創作する状態を示す斜視図であり、図８は本考案に係る紙細工素材によってドラゴンを創作する状態を示す斜視図である。
【００１１】
図１乃至図６に示すように本考案に係る紙細工素材は、柱材用紙片組１０と、板材用紙片組２０〜２０’’と、関節板材用紙片組３０と、枢設部材４０とを備え、該柱材用紙片組１０は厚紙で形成されており、該厚紙には所定幅の寸法を有する複数の柱材用紙片１１が並設されると共に、各柱材用紙片１１には折り線１２が設けられ、各柱材用紙片１１の周縁には厚紙と部分的に連接する連接箇所１３が設けられた切断部を有し、前記連接箇所を破断することで、分離可能となっている。
【００１２】
前記板材用紙片組２０〜２０’’は厚紙で形成されており、該厚紙には異なる形状や寸法を有する複数の板材用紙片２１〜２１’’が設けられ、各板材用紙片２１〜２１’’の周縁には厚紙と部分的に連接する連接箇所２２〜２２’’が設けられた切断部を有し、前記連接箇所を破断することで、分離可能となっている。
【００１３】
前記関節板材用紙片組３０は厚紙で形成され、該厚紙には複数の長方形・正方形等の矩形状の関節板材用紙片３１が設けられ、各関節板材用紙片３１の両端には貫通孔３２が形成されると共に、周縁に厚紙と連接する連接箇所３３が設けられた切断部を有し、前記連接箇所を破断することで、分離可能となっている。
【００１４】
前記枢設部材４０は関節板材用紙片３１の貫通孔３２に枢設されるオスボタン４１とメスボタン４２を有し、該オスボタン４１に外径が貫通孔３２の内径と等しい枢設ブロック４１０が設けられ、メスボタン４２にオスボタン４１の枢設ブロック４１０と嵌合するため枢設孔４２０が形成される。
【００１５】
前記柱材用紙片組１０の柱材用紙片１１は折り線１２をそれぞれ折曲げて、外側の柱材用紙片１１を互いに粘着することにより、四角形の紙柱を形成できる。
【００１６】
又、図２乃至図４に示すように、前記板材用紙片組２０〜２０’’に異なる寸法を有する長方形状の板材用紙片２１，２１’又は名刺形状のような板材用紙片２１’’が設けられることにより、学習者は適当な板材用紙片２１〜２１’’を厚紙よりそれぞれはぎ取って創作上の使用に供することができる。
【００１７】
前記柱材用紙片組１０、板材用紙片組２０〜２０’’における各連接箇所１３，２２がそれぞれ異なる間隔によって設けられる。本実施例においては、部分的に厚紙と連続する連接箇所１３，２２が小、中、大の間隔によって設けられている。
【００１８】
又、図６に示すように、本考案に係る枢設部材４０を使用する場合、少なくとも二枚の関節板材用紙片３１を用いて、関節板材用紙片３１における貫通孔３２を重ね、オスボタン４１の枢設ブロック４１０が貫通孔３２を貫通すると共に、メスボタン４２の枢設孔４２０と嵌合することにより、二枚の関節板材用紙片３１が枢設部材４０を回動中心として回動することができる。又、板材用紙片２１〜２１’’に貫通孔を開けて関節板材用紙片３１の貫通孔３２と重ねると共に、枢設部材４０を設置することにより、各板材用紙片２１〜２１’’と関節板材用紙片３１が互いに回動することができる。
【００１９】
以上のような本考案の紙細工素材によれば、図１、図４及び図７に示すように、本考案に係る紙細工素材の柱材用紙片１１と板材用紙片２１’’により、机形状の紙細工を簡単に創作することができる。
【００２０】
更に、図２、図３、図５、図６及び図８に示すように、異なる寸法を有する板材用紙片組２０，２０’の板材用紙片２１，２１’と、関節板材用紙片組３０の関節用紙片３１と、枢設部材４０により、本考案の紙細工素材はドラゴンの紙細工を簡単に創作することができる。
【産業上の利用可能性】
【００２１】
本考案は上記の構成を有するので、学習者は異なる形状や寸法の柱材用紙片と板材用紙片と関節板材用紙片を厚紙から簡単に破断して取ることにより、カッターナイフ又は鋏を必要としないで、紙細工の創作を簡単にすることができる。
【図面の簡単な説明】
【００２２】
【図１】本考案に係る紙細工素材の第１実施例を示す柱材用紙片組を示す分解斜視図である。
【図２】本考案に係る紙細工素材の第１実施例を示す板材用紙片組の分解斜視図である。
【図３】本考案に係る紙細工素材の第１実施例の異なる板材用紙片組を示す分解斜視図である。
【図４】本考案に係る紙細工素材の第１実施例の異なる板材用紙片組を示す分解斜視図である。
【図５】本考案に係る紙細工素材の関節板材用紙片組を示す分解斜視図である。
【図６】本考案に係る紙細工素材の関節板材用紙片と枢設部材を示す分解斜視図である。
【図７】本考案に係る紙細工素材によって机を創作する状態を示す斜視図である。
【図８】本考案に係る紙細工素材によってドラゴンを創作する状態を示す斜視図である。
【符号の説明】
【００２３】
１０        柱材用紙片組
１１        柱材用紙片
１２        折り線
１３        連接箇所
２０〜２０’’  板材用紙片組
２１〜２１’’  板材用紙片
２２〜２２’’  連接箇所
３０        関節板材用紙片組
３１        関節板材用紙片
３２        貫通孔
３３        連接箇所
４０        枢設部材
４１        オスボタン
４１０      枢設ブロック
４２        メスボタン
４２０      枢設孔
【図１】
0003107402.tif 000003
【図２】
0003107402.tif 000004
【図３】
0003107402.tif 000005
【図４】
0003107402.tif 000006
【図５】
0003107402.tif 000007
【図６】
0003107402.tif 000008
【図７】
0003107402.tif 000009
【図８】
0003107402.tif 000010